(57)【要約】【課題】ペットの負担が少なく、簡易かつ迅速に着衣と脱衣ができ、持ち運びが容易で安くて使い捨ても可能なペット用レインコートを提供する。【解決手段】ペット用レインコート１は、隣接する二辺１１，１２が封緘され、残りの辺１３，１４が開口する袋体１０からなり、隣接する二辺１１，１２の一部に頭部を挿通させる首通し穴２０が設けられ、残りの辺１３，１４から四肢を露出させる。胴部に撒きつける紐体３０が残りの辺１３に設けられる。袋体１０が熱可塑性樹脂からなり、首通し穴２０をペットの頭部で拡大させて着衣する。【選択図】図１
0003203363.tif 000002
【実用新案登録請求の範囲】
【請求項１】
隣接する二辺が封緘され、残りの辺が開口する袋体からなり、
前記隣接する二辺の一部に頭部を挿通させる首通し穴が設けられ、
前記残りの辺から四肢を露出させることを特徴とするペット用レインコート。
【請求項２】
胴部に撒きつける紐体が前記残りの辺に設けられることを特徴とする請求項１に記載のペット用レインコート。
【請求項３】
前記紐体を挿通させる紐通し穴が前記残りの辺の近傍に設けられることを特徴とする請求項２に記載のペット用レインコート。
【請求項４】
前記袋体が熱可塑性樹脂からなり、
前記首通し穴をペットの頭部で拡大させて着衣することを特徴とする請求項１から３のうちいずれか一項に記載のペット用レインコート。
【請求項５】
前記袋体が熱可塑性樹脂からなり、
前記隣接する二辺の少なくとも一方が溶着されており、この溶着された辺を引き裂いて脱衣することを特徴とする請求項１から４のうちいずれか一項に記載のペット用レインコート。
【考案の詳細な説明】
【技術分野】
【０００１】
本考案は、ペット用レインコートに関する。
【背景技術】
【０００２】
雨の日に犬等のペットを散歩に連れ出すと、ペットの毛並が乱れたり、室内に戻ったときに部屋が汚れてしまったりする。このため、雨の日に犬を散歩に連れて行けるように、様々なペット用レインコートが開発されている。
【０００３】
特許文献１には、レジ袋を利用した犬用レインコートが提案されている。この犬用レインコートは、頭部を通す開口、前脚を通す一対の開口、後脚を通すための一対の開口等が設けられる。
【先行技術文献】
【特許文献】
【０００４】
【特許文献１】実用新案登録第３１２０７６０号公報
【考案の概要】
【考案が解決しようとする課題】
【０００５】
ペット用レインコートは、にわか雨等に遭遇したときに、簡単かつ迅速に着衣できることが求められている。また、持ち運びが容易、安くて使い捨て可能であることも求められている。
しかしながら、従来のペット用レインコートは、レインコート生地に設けた穴にペットの四肢又は前肢を通して穿く形態になっている。このため、着衣や脱衣に時間を要したり、ペットが着衣や脱衣を嫌ってしまったりすることが少なくない。また、レインコートにフードが設けられていると、ペットの耳を覆うためペットが嫌うことも多い。さらに、四肢又は前肢を通して穿くレインコートは、ペットの体格に合わせることが難しい場合が多い。
そもそも激しい雨のときは散歩に出ないにもかかわらず、頑丈で高価なペット用レインコートも提供されている。
【０００６】
本考案は、このような事情に鑑みてなされたものであって、ペットの負担が少なく、簡易かつ迅速に着衣と脱衣ができ、さらに持ち運びが容易で、安くて使い捨ても可能なペット用レインコートを提供することを目的としている。
【課題を解決するための手段】
【０００７】
このような課題を解決して、前記目的を達成するために、本考案は以下の手段を提案している。
本考案のペット用レインコートの第一実施態様は、隣接する二辺が封緘され、残りの辺が開口する袋体からなり、前記隣接する二辺の一部に頭部を挿通させる首通し穴が設けられ、前記残りの辺から四肢を露出させることを特徴とする。
【０００８】
本考案のペット用レインコートの第二実施態様は、第一実施態様において、胴部に撒きつける紐体が前記残りの辺に設けられることを特徴とする。
【０００９】
本考案のペット用レインコートの第三実施態様は、第二実施態様において、前記紐体を挿通させる紐通し穴が前記残りの辺の近傍に設けられることを特徴とする。
【００１０】
本考案のペット用レインコートの第四実施態様は、第一から第三実施態様のいずれかにおいて、前記袋体が熱可塑性樹脂からなり、前記首通し穴をペットの頭部で拡大させて着衣することを特徴とする。
【００１１】
本考案のペット用レインコートの第五実施態様は、第一から第四実施態様のいずれかにおいて、前記袋体が熱可塑性樹脂からなり、前記隣接する二辺の少なくとも一方が溶着されており、この溶着された辺を引き裂いて脱衣することを特徴とする。
【考案の効果】
【００１２】
本考案のペット用レインコートは、首通し穴にペットの頭部を挿通させるだけなので、ペットの負担が少なく、簡易かつ迅速に着衣と脱衣ができる。また、持ち運びが容易で、安くて使い捨ても可能である。
【図面の簡単な説明】
【００１３】
【図１】ペット用レインコート１を示す図である。
【図２】ペット用レインコート１をペットに装着した図である。
【図３】ペット用レインコート１の着衣手順を示す図である。
【図４】ペット用レインコート１の脱衣手順を示す図である。
【考案を実施するための形態】
【００１４】
本発明の実施形態につき図面を参照して説明する。
図１は、ペット用レインコート１を示す図である。図２は、ペット用レインコート１をペットに装着した図である。
【００１５】
ペット用レインコート１は、図１，図２に示すように、ポリエチレンフィルムからなる袋体１０を備える。
ペット用レインコート１の袋体１０は、一枚のポリエチレンフィルムを折り畳んで一部を溶着したものであり、略長方形に形成される。袋体１０は、隣接する二辺（上辺１１、前辺１２）が封緘され、残りの辺（下辺１３、後辺１４）が開口する。
長辺である上辺１１と短辺である前辺１２が直交するように隣接して、ともに封緘される。上辺１１は、ポリエチレンフィルムを折り曲げて形成される。前辺１２は、ポリエチレンフィルムの周縁同士を溶着して形成される。
一方、長辺である下辺１３と短辺である後辺１４は、略直交するように隣接して、ともに開放される。下辺１３と後辺１４は、ポリエチレンフィルムの周縁同士を重ねて形成される。
【００１６】
レインコート生地のポリエチレンは、具体的には低密度ポリエチレン（Low Density Polyethylene：LDPE）であり、他のポリエチレンと比較し軟らかいため、軟質ポリエチレンとも呼ばれる。
袋体１０は、例えば半透明の黄色に着色される。雨天時に目立たせるためである。
また、袋体１０には、多数の凸凹模様が形成される。つまり、エンボス加工が施されたポリエチレンフィルムが用いられる。これにより、袋体１０の擦れ音を低減することができる。
【００１７】
前辺１２の上方側には、ペットの頭部を挿通させる首通し穴２０が設けられる。首通し穴２０は、前辺１２の一部を半円形に切り取ることにより形成される。つまり、重ねられたポリエチレンフィルムの周縁に半円形の穴を形成することにより、略円形の首通し穴２０が設けられる。
首通し穴２０の内径は、ペットの頭部の外径よりも小さく形成される。後述するように着衣の際に、首通し穴２０を引き伸ばして拡径するためである。
【００１８】
ペット用レインコート１は、袋体１０の上辺１１がペットの背中（背骨）に沿い、前辺１２がペットの首部の前側中央に沿うように着衣される。そして、下辺１３と後辺１４から四肢や尻尾を露出させる。
【００１９】
上辺１１には、切り込み２５が設けられる。この切り込み２５は、ペットに装着したボディハーネスのリードを挿通させるための穴である。
【００２０】
下辺１３の中央には、ペットの胴部に撒きつける一対の紐体３０が設けられる。
一対の紐体３０は、重ねられたポリエチレンフィルムの周縁からそれぞれ長く延びるように形成される。紐体３０がU字形またはJ字形に形成されるのは、ペット用レインコート１を形成するために必要とされるポリエチレンフィルムの量（面積）をできるだけ少なくするためである。
一対の紐体３０は、ペットの胴部にそれぞれ撒き付けられて、背中部分で結ばれる。すなわち、紐体３０は、前脚と後脚の間を通り、胴部に撒き付いて、背中部分で結びつけられる。これにより、ペット用レインコート１（袋体１０）がペットの胴部に固定される。なお、紐体３０の基端側は、ペットの腹部を覆うので、腹部の汚れを防止することもできる。
【００２１】
また、下辺１３の中央近傍には、一対の紐通し穴３５が設けられる。紐体３０をペットの胴部に撒き付けるときに、紐体３０を紐通し穴３５に挿通させる。これにより、ペットの胴部に固定したペット用レインコート１（袋体１０）の位置ズレを防止することができる。
【００２２】
ペット用レインコート１の着衣手順について説明する。図３は、ペット用レインコート１の着衣手順を示す図である。
まず、図３（ａ）に示すように、ペット用レインコート１の袋体１０をペットの頭部と背中を覆うように被せる。そして、ペットの頭部を首通し穴２０に挿入する。
首通し穴２０の内径は、ペットの頭部の外径よりも小さく形成されている。しかし、袋体１０が低密度ポリエチレン（軟質ポリエチレン）からなるため、ペットの頭部を首通し穴２０に挿入し続けると、首通し穴２０が引き伸ばされて拡径する。
これにより、首通し穴２０にペットの頭部が挿通される。そして、首通し穴２０は、ペットの頭部により拡径されたので、必要最小限の開口径になり、ペットの首部に密着するように嵌る。したがって、雨水が首通し穴２０から袋体１０の内部に浸入しづらくなる。
【００２３】
次いで、一対の紐体３０をペットの胴部に撒き付けて、背中部分で結ぶ。このとき、図３（ｂ）に示すように、一対の紐通し穴３５の少なくとも一方を紐通し穴３５に挿通させることが好ましい。
これにより、図３（ｃ）に示すように、ペット用レインコート１（袋体１０）がペットの胴部に固定される。
【００２４】
ペット用レインコート１の脱衣手順について説明する。図４は、ペット用レインコート１の脱衣手順を示す図である。
まず、図４（ａ）に示すように、首通し穴２０に指を入れて前辺１２を引き裂く。つまり、ポリエチレンフィルム同士が溶着された部位を引き剥がして、前辺１２を開放させる。
次いで、図４（ｂ）に示すように、紐体３０同士の結び目を解く。あるいは、一対の紐体３０を両手で引っ張って引き千切る。これにより、袋体１０がペットの胴部から取り除かれる。
【００２５】
以上、説明したように、ペット用レインコート１は、隣接する二辺（上辺１１、前辺１２）が封緘され、残りの辺（下辺１３、後辺１４）が開口する袋体１０からなり、前辺１２の一部に頭部を挿通させる首通し穴２０が設けられ、下辺１３と後辺１４から四肢を露出させる。
このように、四肢又は前肢を通して穿く必要がないので、着衣や脱衣の際にペットの負担が少なく、また、簡易かつ迅速に着衣と脱衣ができる。さらに、四肢又は前肢を通して穿く必要がないので、ペットの体格に簡単に合わせられる。
【００２６】
また、胴部に撒きつける紐体３０が下辺１３に設けられるので、ペット用レインコート１（袋体１０）を確実にペットの胴部に固定できる。紐体３０の基端側がペットの腹部を覆うので、腹部の汚れを防止できる。
【００２７】
また、紐体３０を挿通させる紐通し穴３５が下辺１３の近傍に設けられるので、ペット用レインコート１（袋体１０）の位置ずれを防止できる。
【００２８】
また、袋体１０が熱可塑性樹脂からなり、首通し穴２０をペットの頭部で拡大させて着衣するので、首通し穴２０が必要最小限の開口径になるので、ペットの首部に密着して雨水の浸入を防止できる。
【００２９】
また、袋体１０が熱可塑性樹脂からなり、溶着された前辺１２を引き裂いて脱衣するので、容易かつ迅速に脱衣ができる。
【００３０】
このように、ペット用レインコート１は、首通し穴２０にペットの頭部を挿通させるだけなので、ペットの負担が少なく、簡易かつ迅速に着衣と脱衣ができる。また、持ち運びが容易で、安くて使い捨ても可能である。
【００３１】
本考案の技術範囲は、上述した実施形態に限定されるものではない。本考案の趣旨を逸脱しない範囲において、上述した実施形態に種々の変更を加えたものを含む。実施形態で挙げた具体的な材料や層構成などはほんの一例に過ぎず、適宜変更が可能である。
【００３２】
例えば、ペット用レインコート１（袋体１０）は、ポリエチレンフィルムからなる場合に限らない。例えば布地にビニルコートしたものであってもよい。
【００３３】
首通し穴２０は、前辺１２のみならず、例えば上辺１１と前辺１２の角部に設けてもよい。
紐体３０は、袋体１０と一体形成される場合に限らない。袋体１０に紐体３０を溶着・接着したりしてもよい。袋体１０と紐体３０が異なる材質からなる場合であってもよい。
紐体３０は、一対の場合に限らず、一本の紐体３０をペットの胴部に撒き付ける場合であってもよい。
【００３４】
袋体１０は、略長方形の場合に限らず、例えば四半円形状であってよい。つまり、残りの辺は、下辺１３や後辺１４のような直線状に限らず、円弧形等であってもよい。
【００３５】
袋体１０の着色や表面処理は、半透明の黄色やエンボス加工に限らない。任意の色や模様、表面処理を選択することができる。
【００３６】
前辺１２のみがポリエチレンフィルムの周縁同士を溶着して形成される場合に限らない。上辺１１もポリエチレンフィルムの周縁同士を溶着して形成されてもよい。
前辺１２がポリエチレンフィルムの周縁同士を溶着して形成される場合に限らない。接着剤や両面テープ等を用いて、ポリエチレンフィルムの周縁同士を接続してもよい。面ファスナーやスナップボタン、かぎホック等を用いて、ポリエチレンフィルムの周縁同士を着脱可能にしてもよい。
ペット用レインコート１をペットの背中を覆うように被せた後に、前辺１２のポリエチレンフィルムの周縁同士を接続してもよい。
【符号の説明】
【００３７】
１  ペット用レインコート  
１０  袋体  
１１  上辺（隣接する二辺）  
１２  前辺（隣接する二辺）  
１３  下辺（残りの辺）  
１４  後辺（残りの辺）  
２０  首通し穴  
２５  切り込み  
３０  紐体  
３５  紐通し穴  
【図１】
0003203363.tif 000003
【図２】
0003203363.tif 000004
【図３】
0003203363.tif 000005
【図４】
0003203363.tif 000006